(57)【要約】【課題】毎日の灌水が不要であり、回りを汚すことのない清潔な植木鉢を提供する。【解決手段】植物を育成するための植木鉢であって、育成基盤部と、前記育成基盤部の下部に位置し、水を内部に貯える貯水部と、前記貯水部の水を吸収し、前記育成基盤部に給水する吸収体と、により構成し、前記吸水体は、上部を前記育成基盤部の挿通し、下部を貯水部の底面まで延設したことを特徴とする、植木鉢。【選択図】図１
0003128399.tif 000002
【実用新案登録請求の範囲】
【請求項１】
植物を育成するための植木鉢であって、
育成基盤部と、
前記育成基盤部の下部に位置し、水を内部に貯える貯水部と、
前記貯水部の水を吸収し、前記育成基盤部に給水する吸収体と、により構成し、
前記吸水体は、上部を前記育成基盤部に挿通し、下部を貯水部の底面まで延設したことを特徴とする、
植木鉢。
【請求項２】
請求項１に記載の植木鉢において、前記貯水部の側面の少なくとも一部を透明状又は半透明状としたことを特徴とする、植木鉢。
【請求項３】
請求項１又は請求項２に記載の植木鉢において、前記吸水体は、レーヨンと合成繊維と熱融着性繊維とを混紡し、熱融着させて成形したことを特徴とする、植木鉢。
【請求項４】
請求項１乃至請求項３に記載の植木鉢において、前記育成基盤部と前記貯水部とを一体に形成し、前記貯水部の何れかに給水口を設けたことを特徴とする、植木鉢。
【考案の詳細な説明】
【技術分野】
【０００１】
本考案は、植物の育成に用いる植木鉢に関するものである。
【背景技術】
【０００２】
従来、植物を育成する際に用いる植木鉢は上面から灌水を行うものである。
また、近年はあらかじめ水を入れたペットボトルに給水治具を取り付け、植木鉢上面に差し込んで用いる自動給水器が用いられている。
【特許文献１】特開２００２−１１２６５０号公報
【考案の開示】
【考案が解決しようとする課題】
【０００３】
上記した植木鉢や自動給水器には次のような問題点がある。
＜１＞灌水を行うことを忘れて、植物が枯れてしまうことがある。
＜２＞上面から灌水する場合、灌水した量が分かりにくく、水が不足して植物が枯れることや、水が多すぎて根腐れを起こしてしまうことがある。
＜３＞灌水時、上面からこぼれ出す水や植木鉢の底面の排水穴からの排水により、植木鉢の周囲や、植木鉢の下部に設けた受け皿が汚れてしまう。
＜４＞ペットボトルを用いた自動給水器では、本来鑑賞されるべき植物がペットボトルに遮られてしまう。
【０００４】
本考案は以上の問題点を解決するためになされたもので、その目的とするところは、毎日の灌水が不要であり、回りを汚すことのない清潔な植木鉢を提供することにある。
【課題を解決するための手段】
【０００５】
上記のような問題を解決するために、本願の第１考案は、植物を育成するための植木鉢であって、育成基盤部と、前記育成基盤部の下部に位置し、水を内部に貯える貯水部と、前記貯水部の水を吸収し、前記育成基盤部に給水する吸収体と、により構成し、前記吸水体は、上部を前記育成基盤部の挿通し、下部を貯水部の底面まで延設したことを特徴とする、植木鉢を提供する。
本願の第２考案は、第１考案に記載の植木鉢において、前記貯水部の側面の少なくとも一部を透明又は半透明状とすることを特徴とする、植木鉢を提供する。
本願の第３考案は、第１考案又は第２考案に記載の植木鉢において、前記吸水体は、レーヨンと合成繊維と熱融着性繊維とを混紡し、熱融着させて成形したことを特徴とする、植木鉢を提供する。
本願の第４考案は、第１考案乃至第３考案の何れかに記載の植木鉢において、前記育成基盤部と、前記貯水部とを一体に形成したことを特徴とする、植木鉢を提供する。
【考案の効果】
【０００６】
本考案の植木鉢は、次のような効果のうち、少なくとも一つを得ることができる。
＜１＞吸水体により、自動的に育成基盤部への給水が行われるため、植物への灌水を忘れる心配がない。
＜２＞吸水体からは必要以上の水が給水されないため、根腐れが起こらない。
＜３＞貯水部に水が貯水できるため、毎日の給水が不要となる。
＜４＞上部から灌水する必要がないため、水がこぼれたりすることがなく、植木鉢の回りが汚れることがない。
＜５＞貯水部は少なくとも一部が透明又は半透明状であるため、貯水量を見ることができ、貯水部への給水忘れを防止できる。
＜６＞育成基盤部と貯水部とが一体であるため、持ち運びが容易である。
【考案を実施するための最良の形態】
【０００７】
以下、本考案について図面を参照した実施の形態により詳細に説明する。
【０００８】
＜１＞植木鉢の概要
本考案の植木鉢は図１に示すように、育成基盤部１０と、貯水部２０と、育成基盤部１０の下部に設ける吸水体３０と、により構成する。
以下、各構成部品について詳述する。
【０００９】
＜２＞育成基盤部
育成基盤部１０は、植物４０を植えるためのものである。
育成基盤部１０は図２に示すように、育成ポット１１の内部に基盤材１２を充填して構成する。
育成ポット１１の形状は一般の植木鉢のような逆円錐台状に限らず、貯水部２０の形状に合わせて、任意の形状とすることができる。
基盤材１２は培養土やスポンジ等からなる。
育成ポット１１の下部には、吸水体２０を挿通するための挿通孔を設ける。
【００１０】
＜３＞貯水部
貯水部２０は、内部に水５０を貯水するためのものである。
形状は、円筒状に限らず、育成基盤部１０の形状に合わせて、任意の形状とすることができる。
貯水部２０の外壁は、内部の水５０の量が見えるように、少なくとも一部を透明状又は半透明状とする。
【００１１】
＜４＞吸水体
吸水体３０は、貯水部２０の水５０を吸収し、基盤材１２に給水するものである。
吸水体３０は、吸水性繊維からなるものであり、木綿やポリエステル等を紐状や棒状にしたものである。
吸水体３０に吸収された水は、毛細管現象により吸水体３０内を上昇し、基盤材１２に達し給水される。
吸水体３０は、育成基盤部１０下部の挿通孔から基盤材１２内に挿通されている。吸水体３０の基盤材１２への挿通長さは、育成する植物や基盤材１２の材質により適宜決定する。
また、吸水体３０は、育成基盤部１０から延設している。吸水体３０は、育成基盤部１０を貯水部２０に取り付けた際に、貯水部２０の底面に達するように延設する。
【００１２】
吸水体３０には、レーヨンと合成繊維と熱融着性繊維とを混紡し、熱融着させて成形したものが好適である。
レーヨンは吸水性が高い点、繊維が長く所定の形状に成形することが容易である点で、吸水体３０の材料として好適である。
また、レーヨンに合成繊維を混紡することで、吸水体３０の毛羽立ちを防止し、成形性を向上させる。合成繊維には、ポリエステル、ナイロン等を挙げることができる。
レーヨンと合成繊維とからなる吸水体３０の成形は、さらに熱融着性繊維を混紡し、熱融着させて行う。熱融着性繊維には、ポリエチレン、ポリプロピレン、低融点ポリエステル、ＰＥＴ／ＰＥの芯鞘繊維等が挙げられる。
【００１３】
［作用］
次に、本考案の植木鉢を用いた植物の栽培方法について説明する。
【００１４】
貯水部２０の内部に水５０を貯水し、上部に育成基盤部１０を取り付ける。
育成基盤部１０は、貯水部２０を密閉するような形状で、嵌合や螺着等の任意の方法で着脱自在に取り付ける。
植物の代謝や水の蒸発によって育成基盤部１０中の水分が不足すると、貯水部２０の水５０が吸水体３０を介して育成基盤部１０に給水される。
吸水体３０の毛細管現象により給水されるため、植物への灌水を忘れる心配がない。又、必要以上の水が給水されないため、根腐れが起こることがない。
吸水体３０は貯水部２０の底面に達するように延設するため、貯水部２０の貯水量が少なくても吸水することができる。また、吸水性が高いため、吸水体３０下部で吸水しても、吸水体３０上部まで吸い上げることができる。
貯水部２０には水が貯水できるため、毎日の給水が必要ない。また、貯水部２０の外壁は少なくとも一部が透明状又は半透明であるため、内部の水５０の量を見ることができる。これにより、貯水部２０への給水忘れを防止できる。
貯水部２０は密閉形状であるため、水５０の蒸発を抑えることができる。また、水漏れがなく、植木鉢の回りが汚れることがない。
【００１５】
［その他実施例］
上記実施例では、育成基盤部１０と貯水部２０とを着脱自在に構成したが、図３に示すように、一体に形成しても良い。その際には貯水部２０に給水するために、給水口２１を設ける。給水口２１は、栓２３によって密閉できるように形成する。
また、排水口２２を設けることで、貯水部２０内の水５０が汚れた場合の排水も容易に行う事ができる。排水口２２も、栓２３によって密閉できるように形成する。
育成基盤部１０と貯水部２０とを一体に形成することにより、運搬が容易となり、また、内部の水５０が漏れることがない。
【図面の簡単な説明】
【００１６】
【図１】本考案に係る植木鉢の斜視図
【図２】本考案に係る植木鉢の断面図
【図３】本考案のその他実施例に係る植木鉢の断面図
【符号の説明】
【００１７】
１０      育成基盤部
１１      育成ポット
１２      基盤材
２０      貯水部
２１      給水口
２２      排水口
２３      栓
３０      吸水体
４０      植物
５０      水
【図１】
0003128399.tif 000003
【図２】
0003128399.tif 000004
【図３】
0003128399.tif 000005